(57)【要約】【課題】小サイズの被排出媒体が排出される排出口の部分の空間を広くして、当該被排出媒体の取り出し性を向上させた被排出媒体排出装置及びその被排出媒体排出装置を備えた被排出媒体搬送装置並びにその被排出媒体搬送装置を備えた電子機器を提供すること。【解決手段】被排出媒体が排出される前面開放された排出口１３１における一方側の上部に配設され、前記被排出媒体に関する所定の処理を実行する処理実行部１３２と、前記処理実行部の配置部位を除く前記排出口を開閉自在となるように配設され、排出される前記被排出媒体を積載するスタッカ部１３３とを備える。これにより、排出口の空間を狭くする処理実行部を排出口における一方側の上部に移動させたので、排出口における他方側は広い空間を確保することができ、排出される被排出媒体が小サイズであっても当該被排出媒体をユーザは容易に手を差し込んで取り出すことができる。【選択図】図２
2008019058.tif 000002
【特許請求の範囲】
【請求項１】
被排出媒体を排出する被排出媒体排出装置であって、
前記被排出媒体が排出される前面開放された排出口における一方側の上部に配設され、前記被排出媒体に関する所定の処理を実行する処理実行部と、
前記処理実行部の配置部位を除く前記排出口を開閉自在となるように配設され、排出される前記被排出媒体を積載するスタッカ部とを備えたことを特徴とする被排出媒体排出装置。
【請求項２】
前記排出口における他方側の上部に位置する部位が、面取り加工されていることを特徴とする請求項１に記載の被排出媒体排出装置。
【請求項３】
前記面取り部位を覆う面取り被覆部が、前記スタッカ部に設けられていることを特徴とする請求項は２に記載の被排出媒体排出装置。
【請求項４】
前記スタッカ部が閉じたときに前記排出口における上部を覆う上部被覆部と前記処理実行部とは、対称配置されていることを特徴とする請求項１〜３の何れか一項に記載の被排出媒体排出装置。
【請求項５】
前記処理実行部は、前記被排出媒体に関する所定のデータが書き込まれた記録カードが挿抜可能なカードスロット部であることを特徴とする請求項１〜４の何れか一項に記載の被排出媒体排出装置。
【請求項６】
前記被排出媒体は、前記排出口における他方側の端部を基準に排出されることを特徴とする請求項１〜５の何れか一項に記載の被排出媒体排出装置。
【請求項７】
被搬送媒体を搬送して排出する被排出媒体搬送装置であって、
請求項１〜６の何れか一項に記載の被排出媒体排出装置を備えたことを特徴とする被排出媒体搬送装置。
【請求項８】
請求項７に記載の被排出媒体搬送装置を備えたことを特徴とする電子機器。
【発明の詳細な説明】
【技術分野】
【０００１】
本発明は、被排出媒体を排出する被排出媒体排出装置及びその被排出媒体排出装置を備えた被排出媒体搬送装置並びにその被排出媒体搬送装置を備えた電子機器に関する。
【背景技術】
【０００２】
一般に、電子機器の１つである記録装置は、背面側から給紙される用紙を搬送しつつ記録し、記録完了した用紙を前面側に排紙する。このような記録装置には、排紙口から排紙される用紙を積載するためのスタッカが配設されている。このスタッカは、略矩形板状に形成されて排紙口の下部で回動自在に軸支持されており、使用時は排紙される用紙を積載するために排紙口の下部から前方に向かって突き出た状態に回動され、不使用時は設置スペースを節約するため及び排紙口の内部への塵や埃等の侵入を防止するために排紙口を覆って塞いだ状態に回動される。
【０００３】
また、デジタルカメラ等による撮影画像の電子データが格納されたメモリカードが挿抜可能なスロットを備えた記録装置がある。このメモリカードのスロットは、ユーザによるメモリカードの挿抜動作が容易となるように、通常は排紙口の上部に配置されている。そして、メモリカードのスロットへの静電気の飛びの防止や塵や埃の侵入を防止するため、下部にて回動自在に軸支持されたカバーで覆われている。このような記録装置であれば、パーソナルコンピュータを接続しなくても、スロットにメモリカードを差し込むことにより撮影画像を直接記録することができる（特許文献１参照）。
【０００４】
【特許文献１】特開２００５−５９２９５号公報
【発明の開示】
【発明が解決しようとする課題】
【０００５】
従来の記録装置は、デザイン上の観点から前面側から見て左右対称となるように各構成部が配置されており、メモリカードのスロットを覆うカバーは、排紙口の中央に配置されている。ところが、排紙される用紙が例えば名刺のような小サイズの場合、ユーザは排紙口から手を差し込んで当該用紙を取り出す必要があるが、上記カバーが配置されている場所は手を差し込む空間が狭くなり、特にカバーが開状態のときは更に手を差し込む空間が狭くなるので、当該用紙の取り出し性が悪化する。
【０００６】
本発明は、上記のような課題に鑑みなされたものであり、その目的は、小サイズの被排出媒体が排出される排出口の部分の空間を広くして、当該被排出媒体の取り出し性を向上させた被排出媒体排出装置及びその被排出媒体排出装置を備えた被排出媒体搬送装置並びにその被排出媒体搬送装置を備えた電子機器を提供することにある。
【課題を解決するための手段】
【０００７】
上記目的達成のため、本発明の被排出媒体排出装置では、被排出媒体を排出する被排出媒体排出装置であって、前記被排出媒体が排出される前面開放された排出口における一方側の上部に配設され、前記被排出媒体に関する所定の処理を実行する処理実行部と、前記処理実行部の配置部位を除く前記排出口を開閉自在となるように配設され、排出される前記被排出媒体を積載するスタッカ部とを備えたことを特徴としている。これにより、排出口の空間を狭くする処理実行部を排出口における一方側の上部に移動させたので、排出口における他方側は広い空間を確保することができ、排出される被排出媒体が小サイズであっても当該被排出媒体をユーザは容易に手を差し込んで取り出すことができる。
【０００８】
また、前記排出口における他方側の上部に位置する部位が、面取り加工されていることを特徴としている。これにより、排出口における他方側にユーザが手を差し込んだときに、当該上部に位置する部位との接触を回避することができるので、排出される被排出媒体が小サイズであっても当該被排出媒体をユーザは更に容易に手を差し込んで取り出すことができる。また、前記面取り部位を覆う面取り被覆部が、前記スタッカ部に設けられていることを特徴としている。これにより、スタッカ部を閉じたときに面取り部位を隠すことができるので、外観デザイン性を向上させることができる。また、前記スタッカ部が閉じたときに前記排出口における上部を覆う上部被覆部と前記処理実行部とは、対称配置されていることを特徴としている。これにより、排出口の空間を狭くする処理実行部を排出口における一方側の上部に移動させても、外観デザイン性を損ねてしまうことは無い。
【０００９】
また、前記処理実行部は、前記被排出媒体に関する所定のデータが書き込まれた記録カードが挿抜可能なカードスロット部であることを特徴としている。これにより、ユーザは小サイズの被排出媒体の取り出しのみならず、メモリカードの挿抜も容易に行うことができる。また、前記被排出媒体は、前記排出口における他方側の端部を基準に排出されることを特徴としている。これにより、特に小サイズの被排出媒体の排出を排出口における広い空間が確保された他方側へ集中させることができるので、当該被排出媒体をユーザは更に容易に手を差し込んで取り出すことができる。上記目的達成のため、本発明の被排出媒体搬送装置では、被搬送媒体を搬送して排出する被排出媒体搬送装置であって、上記各被排出媒体排出装置を備えたことを特徴としている。また、本発明の電子機器では、上記被排出媒体搬送装置を備えたことを特徴としている。これにより、上記各作用効果を奏する被排出媒体搬送装置又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係る被排出媒体搬送装置を備えた電子機器である記録装置の外観構成の全体を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの用紙（被排出媒体、被搬送媒体）と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。このインクジェット式プリンタ１００は、全体が略直方体状のハウジング１０１で覆われている。ハウジング１０１の上面における前面（以下、「前面」は図１に示す設置状態のときの前面をいう）側には操作部１１０が配設され、ハウジング１０１の上面における背面（以下、「背面」は図１に示す設置状態のときの背面をいう）側には給紙部（被排出媒体搬送装置）１２０が配設されている。そして、ハウジング１０１の前面側には、本発明の特徴的な部分である排紙部（被排出媒体排出装置、被排出媒体搬送装置）１３０が配設されている。尚、ハウジング１０１の内部には、用紙を給紙部１２０から図示しない記録部を通して排紙部１３０へ搬送する図示しない搬送部（被排出媒体搬送装置）が配設されている。
【００１２】
操作部１１０は、略矩形状の操作パネル１１１を備え、この操作パネル１１１の略中央部に操作状態等を表示する液晶表示パネル１１２が装着され、この液晶表示パネル１１２の両側にパワーをオン・オフするパワー系、用紙の頭出し等を操作したりインクのフラッシング等を操作する操作系、画像処理等を行う処理系等の複数のボタン１１３が配設されている。ユーザは、液晶表示パネル１１２を見て確認しながら各種のボタン１１３を操作することができるので、誤操作を防止することができる。給紙部１２０は、上方に向かって矩形状に開口した給紙口１２１を開閉する機能及び給紙する用紙を１枚もしくは複数枚サポートする機能を併せ持ったペーパーサポート１２２を備えている。ペーパーサポート１２２は、後端の回転軸を中心に図示矢印ａ方向に回動可能に取り付けられている。ユーザは、インクジェット式プリンタ１００を使用又は不使用のときは、ペーパーサポート１２２の両側に指を掛けてペーパーサポート１２２を回転させて給紙口１２１を開閉することができるので、用紙の差し入れを容易に行うことができ、また給紙口１２１内への埃の侵入を防止することができる。
【００１３】
排紙部１３０は、前方に向かって矩形状に開口した排紙口（排出口）１３１における上部に配設されたメモリカードスロット部（処理実行部）１３２と、このメモリカードスロット部１３２の配置部位を除く排紙口１３１を開閉する機能及び排紙される用紙を１枚もしくは複数枚スタックする機能を併せ持ったスタッカ部１３３を備えている。メモリカードスロット部１３２は、複数のスロット１３２ｂ（図３参照）が形成され、複数種類のメモリカードに対応可能に構成されている。そして、各スロット１３２ｂは、図示矢印ｂ方向に開閉自在なカバー１３２ａで覆われている。ユーザは、インクジェット式プリンタ１００をパーソナルコンピュータに接続しなくても、インクジェット式プリンタ１００単独の状態でメモリカードスロット部１３２のスロット１３２ｂにメモリカードを差し込むのみで、メモリカードに格納されている画像等のデータが読み出され、当該画像等を用紙に記録することができる。また、排紙口１３１の上部に配設されているため、カバー１３２ａを下方に向けて開け易く、かつスロット１３２ｂに対するメモリカードの抜き差しが容易になる。スタッカ部１３３は、下端の回動軸を中心に図示矢印ｃ方向に回動可能に取り付けられている。ユーザは、インクジェット式プリンタ１００を使用又は不使用のときは、スタッカ部１３３の上部に指を掛けてスタッカ部１３３を回動させて排紙口１３１を開閉することができるので、セッティングを容易に行うことができ、また排紙口１３１内への埃の侵入を防止することができる。更に、記録後の用紙は常に前面側から排紙されるので、ユーザは用紙を容易に取り出すことができる。
【００１４】
ここで、課題においても説明したように、排紙される用紙が例えば名刺のような小サイズの場合、ユーザは排紙口１３１から手を差し込んで当該用紙を取り出す必要がある。ところが、従来のメモリカードのスロットを覆うカバーは、デザイン上の観点から前面側から見て左右対称となるように排紙口の中央に配置されているため、手を差し込む空間が狭くなる。特に、カバーが開状態のときは更に手を差し込む空間が狭くなるので、当該用紙の取り出し性が悪化する。そこで、このような課題を解消するために、本実施形態は以下のように構成されている。
【００１５】
図２（Ａ）、（Ｂ）は、上記排紙部１３０を前面左側から見たときのスタッカ部１３３の開閉状態を示す斜視図、図３（Ａ）、（Ｂ）は、図２（Ａ）、（Ｂ）の平面図である。メモリカードスロット部１３２は、インクジェット式プリンタ１００の前面側の排紙口１３１における図示中央上部ではなく、排紙口１３１における図示左側上部に移動させて配設されている。そして、スタッカ部１３３は、排紙口１３１における図示右側上部からその下部全体、即ちメモリカードスロット部１３２の配置部位を除く排紙口１３１全体を開閉自在となるように配設されている。このような構成によれば、スタッカ部１３３を回動させて排紙口１３１を開いたときには、メモリカードスロット部１３２は排紙口１３１における図示左側上部に位置しているため、排紙口１３１を図示右側上部からその下部全体にかけて大きく開口させて広い空間を確保することができる。よって、排紙される用紙が例えば名刺のような小サイズの場合であっても、ユーザは排紙口１３１から手を差し込んで当該用紙を容易に取り出すことができ、当該用紙の取り出し性を向上させることができる。更に、このインクジェット式プリンタ１００は、前面側から見て右端部に用紙の給紙及び排紙の基準面を形成し、この基準面に用紙の右側縁を沿わせて給紙及び排紙を行うように構成されている。よって、小サイズの用紙の排紙を広い空間が形成されている右端部に集中させることができるので、ユーザは更に容易に排紙口１３１から手を差し込んで当該用紙を取り出すことができる。
【００１６】
また、メモリカードスロット部１３２は、カバー１３２ａが閉じられた状態ではインクジェット式プリンタ１００の前面側から見たときに矩形状に形成されて、排紙口１３１の図示左側上部を覆うように配置されている。従って、スタッカ部１３３は、閉じられた状態ではインクジェット式プリンタ１００の前面側から見たときに排紙口１３１と略同一の矩形状であって、図示左側上部がメモリカードスロット部１３２と略同一の矩形状に切り欠かれた形状、即ち略逆Ｌ字状に形成されている。このスタッカ部１３３は、伸縮自在な２段構造となっている。即ち、スタッカ部１３３は、ハウジング１０１に回動自在に取り付けられた本体スタッカ１３３ａと、この本体スタッカ１３３ａの先端に対して引出・収納自在な補助スタッカ１３３ｂを備えている。本体スタッカ１３３ａは、上述した排紙口１３１における下部全体を覆うことが可能な略矩形状に形成され、補助スタッカ１３３ｂは、本体スタッカ１３３ａに収納された状態では、上述した排紙口１３１における図示右側上部を覆うことが可能な形状に形成されている。即ち、補助スタッカ１３３ｂの先端部（上部被覆部）１３３ｂａは、スタッカ部１３３が閉じられた状態ではメモリカードスロット部１３２の高さ方向の寸法と同一寸法を有する略矩形状に形成されている。従って、スタッカ部１３３が閉じたときの補助スタッカ１３３ｂの先端部１３３ｂａとメモリカードスロット部１３２とは、対称配置となるので、メモリカードスロット部１３２を排紙口１３１における図示左側上部に移動させても、外観デザイン性を損ねてしまうことは無い。
【００１７】
また、メモリカードスロット部１３２の図示左側は、メモリカードスロット部１３２の高さ方向の寸法と同一寸法でハウジング１０１が迫り出されている。そして、この左迫り出し部１０１ａには、ＵＳＢ（Ｕｎｉｖｅｒｓａｌ  ｓｅｒｉａｌ  ｂｕｓ）コネクタ１０２が配設されている。そして、デザイン上の観点からインクジェット式プリンタ１００の前面側から見て左右対称となるように、スタッカ部１３３が閉じられた状態での補助スタッカ１３３ｂの図示右側も、補助スタッカ先端部１３３ｂａの高さ方向の寸法と同一寸法、即ちメモリカードスロット部１３２の高さ方向の寸法と同一寸法でハウジング１０１が迫り出されている。そして、この右迫り出し部１０１ｂにおける図示左側面の下角部１０１ｂａ、即ち排紙口１３１側に向いた右迫り出し部１０１ｂの下角部１０１ｂａは、Ｃ面取り加工されている。これにより、ユーザが排紙口１３１から手を差し込んだときに、右迫り出し部１０１ｂの下角部１０１ｂａとの接触を回避することができ、あるいは接触しても線接触ではなく面接触となるので、ユーザは更に容易に排紙口１３１から手を差し込むことができる。そして、補助スタッカ先端部１３３ｂａの図示右側面には、スタッカ部１３３が閉じられたときに、右迫り出し部１０１ｂの下角部１０１ｂａを覆う図３（Ｂ）の拡大図に示すリブ（面取り被覆部）１３３ｂｂが突設されている。これにより、スタッカ部１３３を閉じたときに右迫り出し部１０１ｂの下角部１０１ｂａを隠すことができると共に、補助スタッカ先端部１３３ｂａの前面と右迫り出し部１０１ｂの前面を面一とすることができるので、外観デザイン性を向上させることができる。
【００１８】
以上のように、本実施形態の排紙部１３０を備えたインクジェット式プリンタ１００によれば、前面開放された排紙口１３１における一方側の上部に配設され、用紙に関する所定の処理を実行するメモリカードスロット部１３２と、メモリカードスロット部１３２の配置部位を除く排紙口１３１を開閉自在となるように配設され、排紙される用紙を積載するスタッカ部１３３とを備えているので、排紙口１３１における他方側は広い空間を確保することができ、排紙される用紙が小サイズであっても当該用紙をユーザは容易に手を差し込んで取り出すことができる。また、排紙口１３１における他方側の上部に位置する右迫り出し部１０１ｂの下角部１０１ｂａが、Ｃ面取り加工されているので、排紙口１３１における他方側にユーザが手を差し込んだときに、右迫り出し部１０１ｂの下角部１０１ｂａとの接触を回避することができ、排紙される用紙が小サイズであっても当該用紙をユーザは更に容易に手を差し込んで取り出すことができる。尚、右迫り出し部１０１ｂの下角部１０１ｂａは、Ｃ面取り加工ではなく、Ｒ面取り加工であっても同様の効果を奏する。
【００１９】
また、右迫り出し部１０１ｂの下角部１０１ｂａを覆うリブ１３３ｂｂが、補助スタッカ先端部１３３ｂａに設けられているので、スタッカ部１３３を閉じたときに右迫り出し部１０１ｂの下角部１０１ｂａを隠すことができ、外観デザイン性を向上させることができる。また、スタッカ部１３３が閉じたときに排紙口１３１における上部を覆う補助スタッカ先端部１３３ｂａとメモリカードスロット部１３２とは、対称配置されているので、排紙口１３１の空間を狭くするメモリカードスロット部１３２を排紙口１３１における一方側の上部に移動させても、外観デザイン性を損ねてしまうことは無い。尚、排紙口１３１における一方側の上部に移動させる処理実行部は、メモリカードスロット部１３２に限定されるものではなく、排紙口１３１の空間を狭くするものであれば同様に適用可能である。
【産業上の利用可能性】
【００２０】
被排出媒体排出装置を備えた記録装置であれば、例えばファクシミリ装置、コピー装置、スキャナ等であっても適用可能である。また、記録装置に限らず、被排出媒体排出装置を備えた一般的な電子装置にも適用可能である。
【図面の簡単な説明】
【００２１】
【図１】本発明の一実施の形態に係る被排出媒体搬送装置を備えた電子機器である記録装置の外観構成の全体を示す斜視図である。
【図２】図１の記録装置の排紙部を前面左側から見たときのスタッカ部の開閉状態を示す斜視図である。
【図３】図２の平面図である。
【符号の説明】
【００２２】
１００  インクジェット式プリンタ、１０１  ハウジング、１０１ａ  左迫り出し部、１０１ｂ  右迫り出し部、１０１ｂａ  下角部、１１０  操作部、１２０  給紙部、１３０  排紙部、１３１  排紙口、１３２  メモリカードスロット部、１３２ａ  カバー、１３２ｂ  スロット、１３３  スタッカ部、１３３ａ  本体スタッカ、１３３ｂ  補助スタッカ、１３３ｂａ  先端部、１３３ｂｂ  リブ
【図１】
2008019058.tif 000003
【図２】
2008019058.tif 000004
【図３】
2008019058.tif 000005